(57)【要約】【課題】図書館やホテルなどで見かける新聞掛けに掛けてある新聞ホルダーは、「押圧ねじ式」のものが一般的で、その構造は新聞の端部二箇所で螺締する形になっており、ねじの山部分が本体から突出していて見かけが悪いだけでなく、新聞をセットするのに手間がかかり重くて見聞勝手も悪い。これを、ワンタッチで新聞をセットでき、形もシンプルで小型軽量化するとともに、上記のような公共スペースで使うだけでなく、家庭で、特にソファーや寝床で寛いだ姿勢で新聞全体を糺して楽に俯瞰できるようにすることが課題とされる。【解決手段】この新聞ホルダーは、枚数の多寡を問わず、複数枚の新聞を中央ページ部で左右に開き、中央余白部分をＬ字状の細長棒と正四角形の管状の細長棒をもってワンタッチで押圧して留め具で挟持固定することによって、新聞がバラけることなく、紙面全体を手軽に俯瞰見聞できるようシンプルで小型軽量化を図った。【選択図】    図１
2008307699.tif 000002
【特許請求の範囲】
【請求項１】
新聞（１）を中央ページ部で左右に概ね９０°開き、その中央折目の余白部分を載せる切り口がＬ字状の細長棒（２）と、そのＬ字状溝部分に載った新聞中央の折目余白部分を上から押さえて新聞を挟むことができる切り口が正四角形の管状の細長棒（３）とから構成される新聞ホルダーで、Ｌ字状の細長棒（２）の上で新聞を挟んだ正四角形の管状の細長棒の先端切り欠き部（７）は、Ｌ字状の細長棒先端に設けられた逆三角形状の先端管部（４）に挿入され、Ｌ字状の細長棒の後端部（５）と正四角形の管状の細長棒の後端切り欠き部（８）とは、逆三角形の管状の留め具（６）で包括合体されて新聞をしっかりと固定する新聞ホルダー。
【請求項２】
先端管部（４）は、先端切り欠き部（７）を包摂嵌合できる形に形成されている請求項１の新聞ホルダー。
【請求項３】
Ｌ字状の細長棒（２）と正四角形の管状の細長棒（３）を以って、枚数の多い分厚い新聞から枚数の少ない薄い新聞までその厚さに応じてしっかりと挟持できるよう、先端管部（４）に挿入される正四角形の管状の細長棒の先端切り欠き部（７）は、新聞先端部から先端に向けて緩やかに先細りするような傾斜角度をもって切り欠き形成されている請求項１の新聞ホルダー。
【請求項４】
Ｌ字状の細長棒（２）と正四角形の管状の細長棒（３）を以って、枚数の多い分厚い新聞から枚数の少ない薄い新聞までその厚さに応じてしっかりと挟持できるよう、留め具（６）によってＬ字状の細長棒後端部（５）と包括合体される正四角形の管状の細長棒の後端切り欠き部（８）は、新聞後端部から後端に向けて緩やかに先細りするような傾斜角度をもって切り欠き形成されている請求項１の新聞ホルダー。
【請求項５】
新聞紙の真中で見開きすると半分にしかならない新聞紙面をも確実に挟持することは請求項３及び請求項４の構造によって可能であるが、これに加え、正四角形の管状の細長棒（３）の新聞押圧面には、半紙の新聞紙面との摩擦係数が大きく弾性のある素材が貼付されている請求項１の新聞ホルダー。    
【発明の詳細な説明】
【技術分野】
【０００１】
この発明は、複数枚の新聞を、新聞の枚数（厚さ）の多寡に応じ、また、半紙を含む新聞をも確実に挟持し固定する新聞ホルダーに関する。
【背景技術】
【０００２】
新聞ホルダーには各種のものがあるが、一般的には、下面開口する横長U字溝状のフレームの前板の複数箇所に前方より押圧ねじを螺入し、その内端に枢設した押圧板とフレームの後板の間に、複数枚の新聞の端部を挿入してから、押圧ねじを螺締するようになっている。
【０００３】
また、実公昭６２−３７７５２号公報には、上記したのと類似するフレーム内に設けた新聞押圧部材を，フレームの前面に枢設したレバーにより駆動して、新聞を、押圧部材とフレームの後板の間に挟持するようにした新聞綴じ具が開示されている。
【０００４】
さらに、特開２００３−２５１９７７公報には、チャンネルとロッドを使った新聞バインダーが開示されているが、これは分厚い新聞や半紙の入った新聞の挟持には不向きである。
【特許文献１】実公昭６２−３７７５２号公報
【特許文献２】特開２００３−２５１９７７公報
【発明の開示】
【発明が解決しようとする課題】
【０００５】
新聞をホルダーに確実に挟持するためには、新聞の枚数（厚さ）に対応する挟持力が必要であるが、上記０００２記載の「押圧ねじ式」のものは、挟持力の強弱を操作する人の感覚に頼るため、挟持力に個人差が生じ、また前記０００３記載の「レバー式」のものは、挟持力が一定であるため、挟持する新聞が多量の場合、挟持力が不足して挟持した新聞が新聞ホルダーより脱落することがあり、０００４記載のチャンネル・ロッド式のものは分厚い新聞をチャンネルとロッドの間に入れられず挟持できない。
【０００６】
また、０００４記載のチャンネル・ロッド式のようなものでは、半紙を含む新聞の半紙はロッドからすり抜けてしまう。
【０００７】
また、前記「押圧ねじ式」のものや「レバー式」のものは複数枚の新聞の端部を挿入するときに、新聞を挿入しすぎて、肝心な新聞の文字が隠れてしまうことが散見される。
【０００８】
本発明は、新聞の枚数（厚さ）に関係なく、また半紙を含む新聞をも簡単且つ確実に挟持できるようにした新聞ホルダーを提供することを目的としている。
【課題を解決するための手段】
【０００９】
本発明によると、新聞（１）の内側の真中のページを左右に概ね９０°開き、新聞の第一面と末尾面の中央の各余白部分をＬ字状の細長棒（２）のＬ字状溝部分の上に載せ、さらにその上に正四角形の管状の細長棒（３）の下方に向いた直角凸部分がＬ字状の細長棒のＬ字状溝の最深部に嵌合するように押し当て、新聞を押し当てた正四角形の管状の細長棒（３）を先端方向へスライドさせて、正四角形の管状の細長棒の先端切り欠き部（７）がＬ字状の細長棒の先端管部（４）に挿入されるように押し込むとともに、正四角形の管状の細長棒の下方に向いた直角凸部を新聞を載せたＬ字状の細長棒のＬ字状溝の最深部に強く押し当て、Ｌ字状の細長棒の後端部（５）と正四角形の管状の細長棒の後端切り欠き部（８）にリング状の留め具（６）を嵌め込み、Ｌ字状の細長棒（２）と正四角形の管状の細長棒（３）によって挟まれた新聞を圧接して固定することによって上述の課題は解決される。
【発明の効果】
【００１０】
この発明は、枚数の多い分厚い新聞から枚数の少ない薄い新聞まで、新聞の厚さの大小にかかわらずしっかりと挟持し、また半紙を含む新聞の半紙をも確実に挟持できるよう、正四角形の管状の細長棒の先端切り欠き部（７）は、新聞上端部から正四角形の管状の細長棒の先端に向けて緩やかに先細りするような傾斜角度をもって切り欠き形成するとともに、正四角形の管状の細長棒の後端切り欠き部（８）も、新聞下端部から正四角形の管状の細長棒の後端に向けて緩やかに先細りするような傾斜角度をもって切り欠き形成されることによって、薄い新聞に対しては正四角形の管状の細長棒（３）の先端切り欠き部（７）をＬ字状の細長棒の先端管部（４）の最奥部までしっかりと押し込み、分厚い新聞に対しては、正四角形の管状の細長棒（３）の先端切り欠き部（７）を、新聞をしっかり挟持できる程度に至るまで適宜、Ｌ字状の細長棒の先端管部（４）の中へ押し込むことにより、新聞の厚さに応じた圧力で新聞を圧接固定することができる。
【００１１】
この発明は、前記００１０記載の工作や操作に加え、正四角形の管状の細長棒（３）の新聞押圧面に摩擦係数が大きく弾性のある素材を貼付することによって、見開きすると半分にしかならない半紙も確実に圧接固定できるようになっている。
【発明を実施するための最良の形態】
【００１２】
前記０００２記載の「押圧ねじ式」のものや０００３記載の「レバー式」のものは複数枚の新聞の端部を挿入するときに、挿入しすぎて、肝心な新聞の文字が隠れてしまうことが散見されること前記０００７のとおりであるが、この発明は、Ｌ字状の細長棒（２）の新聞の折目部分を載せるＬ字状溝部の２面の各幅及び正四角形の管状の細長棒（３）の新聞押圧面の２面の各幅がｃｍとなっており、新聞の各ページの中央折目部の余白部分の幅がちょうど１．０５ｃｍとなっていることと呼応して、決して新聞の文字を隠すことがないような構造になっている。
【実施例１】
【００１３】
図１は、真中のページを開いた新聞（１）を、この「押圧嵌合式新聞ホルダー」のＬ字状の細長棒（２）と正四角形の管状の細長棒（３）で圧接固定して留め具で留める過程の状況を略示した斜視図である。
【実施例２】
【００１４】
図１１は、この発明の一実施例であり、真中のページを開いた新聞（１）を、この「押圧嵌合式新聞ホルダー」のＬ字状の細長棒（２）の上に載せ、その上から正四角形の管状の細長棒（３）で圧接固定した上面図である。
【実施例３】
【００１５】
図１２は、この発明の一実施例であり、真中のページを開いた新聞（１）を、この「押圧嵌合式新聞ホルダー」のＬ字状の細長棒（２）の上に載せ、その上から正四角形の管状の細長棒（３）で圧接固定した断面図（図１中の切断面AーA´）である。
【実施例４】
【００１６】
図１３は、この発明の一実施例であり、真中のページを開いた新聞（１）を、この「押圧嵌合式新聞ホルダー」のＬ字状の細長棒（２）の上に載せ、その上から正四角形の管状の細長棒（３）で圧接固定し、Ｌ字状の細長棒（２）と正四角形の管状の細長棒（３）の各下端を留め具（６）で固定した底面図である。
【実施例５】
【００１７】
図１４は、この発明の一実施例であり、「押圧嵌合式新聞ホルダー」に新聞（１）をセットして、セットされた「押圧嵌合式新聞ホルダー」を新聞掛け（９）に掛けたところを略示した正面図である。
【図面の簡単な説明】
【００１８】
【図１】新聞ホルダーへ新聞を装着する過程の図  斜視図（中間部分割愛）
【図２】新聞ホルダー（ユニット）正面図（中間部分割愛）
【図３】Ｌ字状の細長棒  正面図（中間部分割愛）
【図４】正四角形の管状の細長棒  正面図（中間部分割愛）
【図５】留め具  正面図
【図６】留め具  右側面図
【図７】留め具  底面図（上面図も同じ）
【図８】新聞ホルダー（ユニット）右側面図（中間部分割愛）
【図９】Ｌ字状の細長棒  右側面図（中間部分割愛）
【図１０】正四角形の管状の細長棒  右側面図（中間部分割愛）
【図１１】新聞ホルダー使用の実施例  上面図
【図１２】新聞ホルダー使用の実施例  中央断面図（図１中の切断面AーA´）
【図１３】新聞ホルダー使用の実施例  底面図
【図１４】新聞をセットした新聞ホルダーを新聞掛けに掛けた図  正面図
【符号の説明】
【００１９】
（１）新聞
（２）Ｌ字状の細長棒
（３）正四角形の管状の細長棒
（４）先端管部
（５）Ｌ字状の細長棒の後端部
（６）留め具
（７）先端切り欠き部
（８）後端切り欠き部
（９）新聞掛け
【図１】
2008307699.tif 000003
【図２】
2008307699.tif 000004
【図３】
2008307699.tif 000005
【図４】
2008307699.tif 000006
【図５】
2008307699.tif 000007
【図６】
2008307699.tif 000008
【図７】
2008307699.tif 000009
【図８】
2008307699.tif 000010
【図９】
2008307699.tif 000011
【図１０】
2008307699.tif 000012
【図１１】
2008307699.tif 000013
【図１２】
2008307699.tif 000014
【図１３】
2008307699.tif 000015
【図１４】
2008307699.tif 000016
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
本願発明は、切り口が直角Ｖ字状の細長棒（２）と、切り口が正四角形管状の細長棒（３）及び直角二等辺逆三角形管状の留め具（８）とから構成される新聞ホルダー。
【請求項２】
請求項１記載の正四角形管状の細長棒（３）の先端の切り欠き部（９）は、同項記載の直角Ｖ字状の細長棒（２）の先端に装設された直角二等辺逆三角形状の先端管部（５）内へ嵌挿したり直角二等辺逆三角形状の先端管部（５）から抜脱できるように形成された請求項１記載の新聞ホルダー。
【請求項３】
請求項１記載の正四角形の管状の細長棒（３）の後端の切り欠き部（１０）は、直角Ｖ字状の細長棒（２）の後端部（７）と圧接一体となって、直角二等辺逆三角形管状の留め具（８）内へ嵌挿したり直角二等辺逆三角形管状の留め具（８）から抜脱できるように形成された請求項１記載の新聞ホルダー。
【請求項４】
請求項２記載の正四角形管状の細長棒（３）の先端の切り欠き部（９）は、正四角形管状の細長棒（３）の管状凸部（４）の端から先端へ向けて緩やかに先細りするような傾斜角度をもって削成された請求項１記載の新聞ホルダー。
【請求項５】
請求項３記載の正四角形管状の細長棒（３）の後端の切り欠き部（１０）は、正四角形管状の細長棒（３）の管状凸部（４）の端から後端へ向けて緩やかに先細りするような傾斜角度をもって削成された請求項１記載の新聞ホルダー。
【手続補正２】
【補正対象書類名】明細書
【補正対象項目名】全文
【補正方法】変更
【補正の内容】
【発明の詳細な説明】
【技術分野】
【０００１】
本願発明は、新聞の枚数（厚さ）の多寡を問わず、また、半紙を含む新聞であるかどうかを問わず、複数枚の新聞を確実に挟持する新聞ホルダーに関する。
【背景技術】
【０００２】
新聞ホルダーには各種のものがあるが、一般的には、下面開口する横長U字溝状のフレームの前板の複数箇所に前方より押圧ねじを螺入し、その内端に枢設した押圧板とフレームの後板の間に、複数枚の新聞の端部を挿入してから、押圧ねじを螺締するようになっている。
【０００３】
また、上記０００２に類似するものとして、フレーム内に設けた新聞押圧部材を、フレームの前面に枢設したレバーを駆動して、新聞を、押圧部材とフレームの後板の間に挟持するようにした「新聞綴じ具」が開示されている。
【特許文献１】実開昭６１−０６７１７２号公報
【０００４】
さらに、チャンネルとロッドを使って新聞を挟持する「新聞バインダー」や「新聞紙用保整器」、「新聞挟み」などが開示されている。
【特許文献２】特開２００３−２５１９７７号公報
【特許文献３】実開昭５４−１５６６１４号公報
【特許文献４】特公昭２９−００７５０３号公報
【発明の開示】
【発明が解決しようとする課題】
【０００５】
新聞をホルダーに確実に挟持するためには、新聞の枚数（厚さ）に対応する挟持力が必要であるが、上記０００２記載の「押圧ねじ式」のホルダーでは、挟持力の強弱を操作する人の感覚に頼るため、挟持力に個人差が生じ、また前記０００３記載のレバー式の「新聞綴じ具」では、挟持力が一定であるため、挟持する新聞が多量の場合、挟持力が不足して挟持した新聞が新聞ホルダーより脱落することがあり、０００４記載のチャンネル・ロッド式の「新聞バインダー」では、分厚い新聞をチャンネルとロッドの間に入れられない一方、半紙を含む新聞の半紙はロッドからすり抜けてしまい、「新聞紙用保整器」「新聞挟み」でも、半紙を含む新聞の半紙がすり抜けてしまうことは、「新聞バインダー」に同じである。
【０００６】
また、前記「押圧ねじ式」のものや「レバー式」のものは複数枚の新聞の端部を挿入するときに、新聞を挿入しすぎて、肝心な新聞の文字が隠れてしまう不都合が見受けられる。
【０００７】
本願発明は、新聞の枚数（厚さ）に関係なく、また半紙を含む新聞をも簡単且つ確実に挟持できるようにした新聞ホルダーを提供することを目的とするものである。
【課題を解決するための手段】
【０００８】
図２〜図１０に示す直角Ｖ字状の細長棒（２）、正四角形管状の細長棒（３）及び直角二等辺逆三角形管状の留め具（８）を以って構成される本願発明によれば、新聞（１）の最内側のページを左右に見開き、新聞の第一面と末尾面の中央折目余白部を直角Ｖ字状の細長棒（２）のＶ字状溝部（６）の上に載せ、その新聞折目余白部の上から正四角形管状の細長棒（３）を圧接させて新聞を挟み、新聞を挟んだ正四角形管状の細長棒（３）を先端方向へ滑動させて、正四角形管状の細長棒（３）の先端の切り欠き部（９）を直角Ｖ字状の細長棒の直角二等辺逆三角形管状の先端管部（５）内へ嵌挿するとともに、直角Ｖ字状の細長棒（２）の後端部（７）と正四角形管状の細長棒（３）の後端の切り欠き部（１０）とを圧接一体化させ、その両端部を直角二等辺逆三角形管状の留め具（８）を使って圧接嵌合し、新聞を挟持固定して上述０００７の課題は解決される。
【０００９】
上記０００８に加え、本願発明では、正四角形管状の細長棒（３）の先端の切り欠き部（９）を、新聞の上端部が当たる正四角形管状の細長棒（３）の管状凸部（４）の端から先端へ向けて緩やかに先細りするような傾斜角度をもって削成し、一方、正四角形管状の細長棒（３）の後端の切り欠き部（１０）を、新聞の下端部が当たる正四角形管状の細長棒（３）の管状凸部（４）の端から後端へ向けて緩やかに先細りするような傾斜角度をもって削成することによって、枚数の多い分厚い新聞から枚数の少ない薄い新聞まで、その多寡を問わずしっかりと挟持し、また半紙を含む新聞の半紙をも確実に挟持できるようにして前述０００７の課題は解決される。
【発明の効果】
【００１０】
本願発明は、上記０００９のように正四角形管状の細長棒（３）の先端の切り欠き部（９）を先細り状に削成することによって、薄い新聞に対しては正四角形管状の細長棒（３）の先端の切り欠き部（９）を直角Ｖ字状の細長棒（２）の先端管部（５）内の最奥部までしっかりと圧接嵌挿し、分厚い新聞に対しては、正四角形管状の細長棒（３）の先端の切り欠き部（９）を、新聞をしっかり係止できる位置まで直角Ｖ字状の細長棒（２）の先端管部（５）内へ圧接嵌挿することにより、新聞の枚数の多寡や半紙を含む新聞か否かを問わず、その厚さに応じた圧着力を以って新聞を挟持することを可能にする。
【００１１】
上記００１０に加え、本願発明は、前記０００９のように正四角形管状の細長棒（３）の後端の切り欠き部（１０）を先細り状に削成することによって、薄い新聞に対しては正四角形管状の細長棒（３）の後端の切り欠き部（１０）を、直角Ｖ字状の細長棒（２）の後端部（７）と圧接一体化させて直角二等辺逆三角形管状の留め具（８）の最奥部までしっかりと圧接嵌挿し、分厚い新聞に対しては、圧接一体化した直角Ｖ字状の細長棒（２）の後端部（７）と併せ正四角形管状の細長棒（３）の後端の切り欠き部（１０）を、新聞をしっかり係止できる位置まで直角二等辺逆三角形管状の留め具（８）内へ圧接嵌挿することにより、新聞の枚数の多寡や半紙を含む新聞か否かを問わず、その厚さに応じた圧着力を以って新聞を挟持することを可能にする。
【発明を実施するための最良の形態】
【００１２】
本願発明は、図２〜図１０に示す直角Ｖ字状の細長棒（２）、正四角形管状の細長棒（３）及び直角二等辺逆三角形管状の留め具（８）を以って構成される。
【００１３】
本願発明は、直角Ｖ字状の細長棒（２）の新聞の折目部分を載せるＶ字状溝部（６）の２面及び新聞を圧接する正四角形管状の細長棒（３）の管状凸部（４）の２面の各々の幅を１センチメートルとすることによって新聞の各ページの中央折目部の余白部分の幅がちょうど１．０５センチメートルであることと呼応して、決して新聞の文字を隠すことがないような形態をなすことを特徴とする。
【実施例１】
【００１４】
図１は、真中のページを開いた新聞（１）を、この「嵌挿圧着式新聞ホルダー」の直角Ｖ字状の細長棒（２）と正四角形管状の細長棒（３）とで挟装固定して、両棒を直角二等辺逆三角形状の先端管部（５）と直角二等辺逆三角形管状の留め具（８）とで留める過程の状況を略示した斜視図である。
【実施例２】
【００１５】
図１１は、この発明の一実施例であり、真中のページを開いた新聞（１）を、この「嵌挿圧着式新聞ホルダー」の直角Ｖ字状の細長棒（２）のＶ字状溝部（６）の上に載せ、その上から正四角形管状の細長棒（３）の管状凸部（４）を以って新聞を圧接し、正四角形管状の細長棒（３）の先端の切り欠き部（９）を直角二等辺逆三角形状の先端管部（５）内へ圧接嵌挿して新聞を固定した上面図である。
【実施例３】
【００１６】
図１２は、この発明の一実施例であり、真中のページを開いた新聞（１）を、この「嵌挿圧着式新聞ホルダー」の直角Ｖ字状の細長棒（２）のＶ字状溝部（６）の上に載せ、その上から正四角形管状の細長棒（３）の管状凸部（４）を以って新聞を圧接固定した断面図（図１中のA−A´での切断面）である。
【実施例４】
【００１７】
図１３は、この発明の一実施例であり、真中のページを開いた新聞（１）を、この「嵌挿圧着式新聞ホルダー」の直角Ｖ字状の細長棒（２）のＶ字状溝部（６）の上に載せ、その上から正四角形管状の細長棒（３）の管状凸部（４）を以って新聞を圧接挟持し、直角Ｖ字状の細長棒の後端部（７）と正四角形管状の細長棒（３）の後端の切り欠き部（１０）とを合わせて直角二等辺逆三角形管状の留め具（８）で圧接固定した下面図である。
【実施例５】
【００１８】
図１４は、この発明の一実施例であり、新聞（１）をセットした「嵌挿圧着式新聞ホルダー」を新聞掛け（１１）に掛けたところを略示した正面図である。
【図面の簡単な説明】
【００１９】
【図１】新聞を新聞ホルダーへ装着する過程の図  斜視図（中間部分割愛）
【図２】新聞ホルダー（ユニット）  正面図（中間部分割愛）
【図３】直角Ｖ字状の細長棒（２）  正面図（中間部分割愛）
【図４】正四角形管状の細長棒（３）  正面図（中間部分割愛）
【図５】直角二等辺逆三角形管状の留め具（８）  正面図
【図６】直角二等辺逆三角形管状の留め具（８）  右側面図
【図７】直角二等辺逆三角形管状の留め具（８）  下面図（上面図も同じ）
【図８】新聞ホルダー（ユニット）  右側面図（中間部分割愛）
【図９】直角Ｖ字状細長棒（２）  右側面図（中間部分割愛）
【図１０】正四角形管状の細長棒（３）  右側面図（中間部分割愛）
【図１１】新聞ホルダー使用の実施例  上面図
【図１２】新聞ホルダー使用の実施例  中央断面図（図１中のAーA´切断面）
【図１３】新聞ホルダー使用の実施例  下面図
【図１４】新聞をセットした新聞ホルダーを新聞掛け（１１）に掛けた図  正面図
【符号の説明】
【００２０】
１  新聞
２  直角Ｖ字状の細長棒
３  正四角形管状の細長棒
４  正四角形管状の細長棒（３）の管状凸部
５  直角Ｖ字状の細長棒（２）の直角二等辺逆三角形状の先端管部
６  直角Ｖ字状の細長棒（２）のＶ字状溝部
７  直角Ｖ字状の細長棒（２）の後端部
８  直角二等辺逆三角形管状の留め具
９  正四角形管状の細長棒（３）の先端の切り欠き部
１０正四角形管状の細長棒（３）の後端の切り欠き部
１１新聞掛け
【手続補正３】
【補正対象書類名】図面
【補正対象項目名】全図
【補正方法】変更
【補正の内容】
【図１】
2008307699.tif 000017
【図２】
2008307699.tif 000018
【図３】
2008307699.tif 000019
【図４】
2008307699.tif 000020
【図５】
2008307699.tif 000021
【図６】
2008307699.tif 000022
【図７】
2008307699.tif 000023
【図８】
2008307699.tif 000024
【図９】
2008307699.tif 000025
【図１０】
2008307699.tif 000026
【図１１】
2008307699.tif 000027
【図１２】
2008307699.tif 000028
【図１３】
2008307699.tif 000029
【図１４】
2008307699.tif 000030
【手続補正書】
【提出日】平成19年11月9日(2007.11.9)
【手続補正１】
【補正対象書類名】図面
【補正対象項目名】図５
【補正方法】変更
【補正の内容】
【図５】
2008307699.tif 000031
【手続補正２】
【補正対象書類名】図面
【補正対象項目名】図６
【補正方法】変更
【補正の内容】
【図６】
2008307699.tif 000032
【手続補正３】
【補正対象書類名】図面
【補正対象項目名】図７
【補正方法】変更
【補正の内容】
【図７】
2008307699.tif 000033
【手続補正４】
【補正対象書類名】図面
【補正対象項目名】図１１
【補正方法】変更
【補正の内容】
【図１１】
2008307699.tif 000034
【手続補正５】
【補正対象書類名】図面
【補正対象項目名】図１２
【補正方法】変更
【補正の内容】
【図１２】
2008307699.tif 000035
【手続補正６】
【補正対象書類名】図面
【補正対象項目名】図１３
【補正方法】変更
【補正の内容】
【図１３】
2008307699.tif 000036
【手続補正７】
【補正対象書類名】図面
【補正対象項目名】図１５
【補正方法】追加
【補正の内容】
【図１５】
2008307699.tif 000037
【手続補正書】
【提出日】平成19年11月10日(2007.11.10)
【手続補正１】
【補正対象書類名】図面
【補正対象項目名】図１６
【補正方法】追加
【補正の内容】
【図１６】
2008307699.tif 000038
【手続補正書】
【提出日】平成19年12月12日(2007.12.12)
【手続補正１】
【補正対象書類名】手続補正書
【補正対象項目名】手続補正８
【補正方法】追加
【補正の内容】
【手続補正８】
【補正対象書類名】明細書
【補正対象項目名】００１９
【補正方法】変更
【補正の内容】
【００１９】
【図１】新聞を新聞ホルダーへ装着する過程の図  斜視図（中間部分割愛）
【図２】新聞ホルダー（ユニット）  正面図（中間部分割愛）
【図３】直角Ｖ字状の細長棒（２）  正面図（中間部分割愛）
【図４】正四角形管状の細長棒（３）  正面図（中間部分割愛）
【図５】直角二等辺逆三角形管状の留め具（８）  正面図
【図６】直角二等辺逆三角形管状の留め具（８）  右側面図
【図７】直角二等辺逆三角形管状の留め具（８）  下面図（上面図も同じ）
【図８】新聞ホルダー（ユニット）  右側面図（中間部分割愛）
【図９】直角Ｖ字状細長棒（２）  右側面図（中間部分割愛）
【図１０】正四角形管状の細長棒（３）  右側面図（中間部分割愛）
【図１１】新聞ホルダー使用の実施例  上面図
【図１２】新聞ホルダー使用の実施例  中央断面図（図１中のAーA´切断面）
【図１３】新聞ホルダー使用の実施例  下面図
【図１４】新聞をセットした新聞ホルダーを新聞掛け（１１）に掛けた図  正面図
【図１５】正四角形管状の細長棒の下面図（上面図はこれと上下対称）
【手続補正書】
【提出日】平成19年12月13日(2007.12.13)
【手続補正１】
【補正対象書類名】手続補正書
【補正対象項目名】手続補正２
【補正方法】追加
【補正の内容】
【手続補正２】
【補正対象書類名】明細書
【補正対象項目名】００１９
【補正方法】変更
【補正の内容】
【００１９】
【図１】新聞を新聞ホルダーへ装着する過程の図  斜視図（中間部分割愛）
【図２】新聞ホルダー（ユニット）  正面図（中間部分割愛）
【図３】直角Ｖ字状の細長棒（２）  正面図（中間部分割愛）
【図４】正四角形管状の細長棒（３）  正面図（中間部分割愛）
【図５】直角二等辺逆三角形管状の留め具（８）  正面図
【図６】直角二等辺逆三角形管状の留め具（８）  右側面図
【図７】直角二等辺逆三角形管状の留め具（８）  下面図（上面図も同じ）
【図８】新聞ホルダー（ユニット）  右側面図（中間部分割愛）
【図９】直角Ｖ字状細長棒（２）  右側面図（中間部分割愛）
【図１０】正四角形管状の細長棒（３）  右側面図（中間部分割愛）
【図１１】新聞ホルダー使用の実施例  上面図
【図１２】新聞ホルダー使用の実施例  中央断面図（図１中のAーA´切断面）
【図１３】新聞ホルダー使用の実施例  下面図
【図１４】新聞をセットした新聞ホルダーを新聞掛け（１１）に掛けた図  正面図
【図１５】正四角形管状の細長棒の下面図（上面図はこれと上下対称）
【図１６】右横から見た先端切り欠き部と先端管部との位置関係透視概念図
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
切り口がL字状の細長棒（２）と、切り口が正四角形管状の細長棒（３）及び切り口が直角二等辺逆三角形管状の留め具（８）との三つの部材から構成される新聞ホルダー。
【請求項２】
上記正四角形管状の細長棒（３）の先端の切り欠き部（９）は、上記L字状の細長棒（２）の先端に装設された直角二等辺逆三角形状の先端管部（５）内へ嵌挿したり同先端管部（５）から抜脱できるよう半欠き状に形成された請求項１記載の新聞ホルダー。
【請求項３】
上記正四角形の管状の細長棒（３）の後端の切り欠き部（１０）は、上記L字状の細長棒（２）の後端部（７）と圧接一体となって、上記管状の留め具（８）内へ嵌挿したり同留め具（８）から抜脱できるよう半欠き状に形成された請求項１記載の新聞ホルダー。
【請求項４】
上記正四角形管状の細長棒（３）の先端の切り欠き部（９）は、同細長棒（３）の管状凸部（４）の端から半欠き状に先端へ向けて緩やかに先細りするような傾斜角度をもって削成された請求項１又は請求項２記載の新聞ホルダー。
【請求項５】
上記正四角形管状の細長棒（３）の後端の切り欠き部（１０）は、同細長棒（３）の管状凸部（４）の端から半欠き状に後端へ向けて緩やかに先細りするような傾斜角度をもって削成された請求項１又は請求項３記載の新聞ホルダー。
【手続補正２】
【補正対象書類名】明細書
【補正対象項目名】全文
【補正方法】変更
【補正の内容】
【発明の詳細な説明】
【技術分野】
【０００１】
本願は、新聞の枚数（厚さ）の多寡を問わず、また、半紙を含む新聞であるかどうかを問わず、複数枚の新聞を確実に挟持する新聞ホルダーに関する。
【背景技術】
【０００２】
新聞ホルダーには各種のものがあるが、一般的には、下面開口する横長U字溝状のフレームの前板の複数箇所に前方より押圧ねじを螺入し、その内端に枢設した押圧板とフレームの後板の間に、複数枚の新聞の端部を挿入してから、押圧ねじを螺締するようになっている。
【０００３】
また、上記０００２に類似するものとして、フレーム内に設けた新聞押圧部材を、フレームの前面に枢設したレバーを駆動して、新聞を、押圧部材とフレームの後板の間に挟持するようにした「新聞綴じ具」が開示されている。
【特許文献１】実開昭６１−０６７１７２号公報
【０００４】
さらに、チャンネルとロッドを使って新聞を挟持する「新聞バインダー」や「新聞紙用保整器」、「新聞挟み」などが開示されている。
【特許文献２】特開２００３−２５１９７７号公報
【特許文献３】実開昭５４−１５６６１４号公報
【特許文献４】特公昭２９−００７５０３号公報
【発明の開示】
【発明が解決しようとする課題】
【０００５】
新聞をホルダーに確実に挟持するためには、新聞の枚数（厚さ）に対応する挟持力が必要であるが、上記０００２記載の「押圧ねじ式」のホルダーでは、挟持力の強弱を操作する人の感覚に頼るため、挟持力に個人差が生じ、また前記０００３記載のレバー式の「新聞綴じ具」では、挟持力が一定であるため、挟持する新聞が多量の場合、挟持力が不足して挟持した新聞が新聞ホルダーより脱落することがあり、０００４記載のチャンネル・ロッド式の「新聞バインダー」では、分厚い新聞をチャンネルとロッドの間に入れられない一方、半紙を含む新聞の半紙はロッドからすり抜けてしまい、「新聞紙用保整器」「新聞挟み」でも、半紙を含む新聞の半紙がすり抜けてしまうことは、「新聞バインダー」に同じである。
【０００６】
また、前記「押圧ねじ式」のものや「レバー式」のものは複数枚の新聞の端部を挿入するときに、新聞を挿入しすぎて、肝心な新聞の文字が隠れてしまう不都合が見受けられる。
【０００７】
本願は、新聞の枚数（厚さ）に関係なく、また半紙を含む新聞をも簡単且つ確実に挟持できるようにした新聞ホルダーを提供することを目的とするものである。
【課題を解決するための手段】
【０００８】
図２及び図９に示すその中央部分の切り口がL字状の細長棒（２）、図４、図１０及び図１５に示すその中央部分の切り口が正四角形管状の細長棒（３）及び図５〜図７に示す直角二等辺逆三角形管状の留め具（８）の三つの部材を以って構成される本願によれば、新聞（１）の最内側のページを左右に見開き、新聞の第一面と末尾面の中央折目余白部をL字状の細長棒（２）のL字状溝部（６）の上に載せ、その新聞折目余白部の上から上記正四角形管状の細長棒（３）を圧接させて新聞を挟み、新聞を挟んだ上記正四角形管状の細長棒（３）を先端方向へ滑動させて、同正四角形管状の細長棒（３）の先端の切り欠き部（９）をL字状の細長棒（２）の先端に装設された直角二等辺逆三角形管状の先端管部（５）内へ嵌挿するとともに、L字状の細長棒（２）の後端部（７）と正四角形管状の細長棒（３）の後端の切り欠き部（１０）とを圧接一体化させ、その両端部を直角二等辺逆三角形管状の留め具（８）を使って圧接嵌合し、新聞を挟持固定して上述０００７の課題は解決される。
【０００９】
上記０００８に加え、本願では、正四角形管状の細長棒（３）の先端の切り欠き部（９）を、新聞の上端部が当たる正四角形管状の細長棒（３）の管状凸部（４）の端から半欠き状にして先端へ向けて緩やかに先細りするような傾斜角度をもって削成し、一方、正四角形管状の細長棒（３）の後端の切り欠き部（１０）を、新聞の下端部が当たる正四角形管状の細長棒（３）の管状凸部（４）の端から半欠き状にして後端へ向けて緩やかに先細りするような傾斜角度をもって削成することによって、枚数の多い分厚い新聞から枚数の少ない薄い新聞まで、その多寡を問わずしっかりと挟持し、また半紙を含む新聞の半紙をも確実に挟持できるようにして前述０００７の課題は解決される。
【００１０】
上記０００８及び０００９に記載する内容を、より明確にするため、L字状の細長棒（２）、正四角形管状の細長棒（３）及び直角二等辺逆三角形管状の留め具（８）の三つの部材の位置関係を右横から透視たものが図１６であり、図１６の上方には、正四角形管状の細長棒（３）の先端の切り欠き部（９）をL字状の細長棒（２）の直角二等辺逆三角形管状の先端管部（５）内へ嵌挿した状態を示し、図１６の下方には、L字状の細長棒（２）の後端部（７）と正四角形管状の細長棒（３）の後端の切り欠き部（１０）とを圧接一体化させ、その両端部を直角二等辺逆三角形管状の留め具（８）を使って圧接嵌合した状態を示している。
【発明の効果】
【００１１】
本願は、上記０００９に記載し、図１６の上方に示すように、正四角形管状の細長棒（３）の先端の切り欠き部（９）を先細り状に削成することによって、枚数の少ない薄い新聞に対しては正四角形管状の細長棒（３）の先端の切り欠き部（９）をL字状の細長棒（２）の先端管部（５）内の最奥部までしっかりと圧接嵌挿し、枚数の多い分厚い新聞に対しては、正四角形管状の細長棒（３）の先端の切り欠き部（９）を、新聞をしっかり係止できる位置までL字状の細長棒（２）の先端管部（５）内へ圧接嵌挿することにより、新聞の枚数の多寡や半紙を含む新聞か否かを問わず、その厚さに応じた圧着力を以って新聞を挟持することを可能にする。
【００１２】
上記００１１と相俟って、本願は、前記０００９及び図１６の下方に示すように正四角形管状の細長棒（３）の後端の切り欠き部（１０）を先細り状に削成することによって、枚数の少ない薄い新聞に対しては正四角形管状の細長棒（３）の後端の切り欠き部（１０）を、L字状の細長棒（２）の後端部（７）と圧接一体化させて直角二等辺逆三角形管状の留め具（８）の最奥部までしっかりと圧接嵌挿し、枚数の多い分厚い新聞に対しては、正四角形管状の細長棒（３）の後端の切り欠き部（１０）を、L字状の細長棒（２）の後端部（7）と圧接一体化させて、新聞をしっかり係止できる位置まで直角二等辺逆三角形管状の留め具（８）内へ圧接嵌挿することにより、新聞の枚数の多寡や半紙を含む新聞か否かを問わず、その厚さに応じた圧着力を以って新聞を挟持することを可能にする。
【００１３】
上記００１０のとおり、L字状の細長棒（２）、正四角形管状の細長棒（３）及び直角二等辺逆三角形管状の留め具（８）の三つの部材の位置関係を右横から透視たものが図１６であり、図１６の上方には、正四角形管状の細長棒（３）の先端の切り欠き部（９）をL字状の細長棒（２）の直角二等辺逆三角形管状の先端管部（５）内へ嵌挿した状態を示し、図１６の下方には、L字状の細長棒（２）の後端部（７）と正四角形管状の細長棒（３）の後端の切り欠き部（１０）とを圧接一体化させ、その両端部を直角二等辺逆三角形管状の留め具（８）を使って圧接嵌合した状態を示すことによって、００１１及び００１２に記載する発明の効果が得られることを示す。
【発明を実施するための最良の形態】
【００１４】
本願は、図３及び図９に示すその中央部分の切り口がL字状の細長棒（２）、図４、図１０及び図１５に示すその中央部分の切り口が正四角形管状の細長棒（３）及び図５〜図７に示す切り口が直角二等辺逆三角形管状の留め具（８）の三つの部材を以って構成される。
【００１５】
本願は、L字状の細長棒（２）の新聞の中央の折目部分を載せるL字状溝部（６）の二つの面及び新聞を圧接する正四角形管状の細長棒（３）の管状凸部（４）の二つの面の各々の幅を１センチメートルとすることによって新聞の各ページの中央折目部の余白部分の幅がちょうど１．０５センチメートルであることと呼応して、本願新聞ホルダーが決して新聞の文字を隠すことがないような形態をなすことを特徴とする。
【実施例１】
【００１６】
図１は、真中のページを開いた新聞（１）を、この「嵌挿圧着式新聞ホルダー」のL字状の細長棒（２）と正四角形管状の細長棒（３）とで挟装固定して、両棒を直角二等辺逆三角形状の先端管部（５）と直角二等辺逆三角形管状の留め具（８）とで留める過程の状況を略示した斜視図である。
【実施例２】
【００１７】
図１１は、この発明の一実施例であり、真中のページを開いた新聞（１）を、この「嵌挿圧着式新聞ホルダー」のL字状の細長棒（２）のL字状溝部（６）の上に載せ、その上から正四角形管状の細長棒（３）の管状凸部（４）を以って新聞を圧接し、正四角形管状の細長棒（３）の先端の切り欠き部（９）を直角二等辺逆三角形状の先端管部（５）内へ圧接嵌挿して新聞を固定した上面図である。
【実施例３】
【００１８】
図１２は、この発明の一実施例であり、真中のページを開いた新聞（１）を、この「嵌挿圧着式新聞ホルダー」のL字状の細長棒（２）のL字状溝部（６）の上に載せ、その上から正四角形管状の細長棒（３）の管状凸部（４）を以って新聞を圧接固定した中央断面図（図１中のA−A´での切断面）である。
【実施例４】
【００１９】
図１３は、この発明の一実施例であり、真中のページを開いた新聞（１）を、この「嵌挿圧着式新聞ホルダー」のL字状の細長棒（２）のL字状溝部（６）の上に載せ、その上から正四角形管状の細長棒（３）の管状凸部（４）を以って新聞を圧接挟持し、L字状の細長棒の後端部（７）と正四角形管状の細長棒（３）の後端の切り欠き部（１０）とを合わせて直角二等辺逆三角形管状の留め具（８）で圧接固定した下面図である。
【実施例５】
【００２０】
図１４は、この発明の一実施例であり、新聞（１）をセットした「嵌挿圧着式新聞ホルダー」を新聞掛け（１１）に掛けたところを略示した正面図である。
【図面の簡単な説明】
【００２１】
【図１】新聞を新聞ホルダーへ装着する過程の図  斜視図（中間部分割愛）
【図２】新聞ホルダー（ユニット）  正面図（中間部分割愛）
【図３】L字状の細長棒（２）  正面図（中間部分割愛）
【図４】正四角形管状の細長棒（３）  正面図（中間部分割愛）
【図５】直角二等辺逆三角形管状の留め具（８）  正面図
【図６】直角二等辺逆三角形管状の留め具（８）  右側面図
【図７】直角二等辺逆三角形管状の留め具（８）  下面図（上面図も同じ）
【図８】新聞ホルダー（ユニット）  右側面図（中間部分割愛）
【図９】L字状細長棒（２）  右側面図（中間部分割愛）
【図１０】正四角形管状の細長棒（３）  右側面図（中間部分割愛）
【図１１】新聞ホルダー使用の実施例  上面図
【図１２】新聞ホルダー使用の実施例  中央断面図（図１中のAーA´切断面）
【図１３】新聞ホルダー使用の実施例  下面図
【図１４】新聞をセットした新聞ホルダーを新聞掛け（１１）に掛けた図  正面図
【図１５】正四角形管状の細長棒の下面図（上面図はこれと上下対称）
【図１６】新聞（１）を圧接挟持した新聞ホルダーを右横から見た図で、管状の細長棒（３）の先端の切り欠き部（９）とL字状の細長棒（２）の先端管部（５）並びに管状の細長棒（３）の後端切り欠き部（１０）、L字状の細長棒（２）の後端部（７）及び留め具（８）の位置関係を示した透視概念図
【符号の説明】
【００２２】
１  新聞
２  L字状の細長棒
３  正四角形管状の細長棒
４  正四角形管状の細長棒（３）の管状凸部
５  L字状の細長棒（２）の直角二等辺逆三角形状の先端管部
６  L字状の細長棒（２）のL字状溝部
７  L字状の細長棒（２）の後端部
８  直角二等辺逆三角形管状の留め具
９  正四角形管状の細長棒（３）の先端の切り欠き部
１０正四角形管状の細長棒（３）の後端の切り欠き部
１１新聞掛け
【手続補正３】
【補正対象書類名】図面
【補正対象項目名】全図
【補正方法】変更
【補正の内容】
【図１】
2008307699.tif 000039
【図２】
2008307699.tif 000040
【図３】
2008307699.tif 000041
【図４】
2008307699.tif 000042
【図５】
2008307699.tif 000043
【図６】
2008307699.tif 000044
【図７】
2008307699.tif 000045
【図８】
2008307699.tif 000046
【図９】
2008307699.tif 000047
【図１０】
2008307699.tif 000048
【図１１】
2008307699.tif 000049
【図１２】
2008307699.tif 000050
【図１３】
2008307699.tif 000051
【図１４】
2008307699.tif 000052
【図１５】
2008307699.tif 000053
【図１６】
2008307699.tif 000054
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
その先端部において直角二等辺逆三角形状の先端管部（４）を備えた横断切り口がL字状の細長棒（２）、その両端部において半欠き状に削成された先端切り欠き部（７）と後端切り欠き部（８）とを備えた、上記L字状の細長棒（２）と同じ長さの横断切り口が正四角形管状の細長棒（３）、および上記L字状の細長棒（２）の後端部（５）と上記正四角形管状の細長棒（３）の後端切り欠き部（８）とを嵌合密着合体させるための用具で、上記先端管部（４）と同じ長さの直角二等辺逆三角形管状の留め具（６）との三つの部材からなる新聞ホルダーであって、上記正四角形管状の細長棒（３）の先端部に設けられた上記先端切り欠き部（７）は、上記L字状の細長棒（２）の先端部に設けられた上記直角二等辺逆三角形状の先端管部（４）内へ嵌挿したり同先端管部（４）から抜脱できるよう、上記正四角形管状の細長棒（３）の先方の途中から同細長棒（３）の先端へ向けて、同先端管部（４）と同じ長さ分だけ半欠き状に削成され、かつ同先端管部（４）内の最深奥部まで嵌挿し切った段階で、同管状の細長棒（３）前方の半欠き始め部分が同先端管部（４）の入り口部分において寸分の間隙なく完全に密着合体できるよう、同半欠き始め部分から先端へ向けて緩やかな傾斜角度をもって先細りするテーパ状に削成されたことを特徴とし、また、上記正四角形管状の細長棒（３）の後端部に設けられ上記後端切り欠き部（８）は、上記L字状の細長棒（２）の後端部（５）と合わせて、上記直角二等辺逆三角形管状の留め具（６）内へ嵌挿したり同留め具（６）から抜脱できるよう、上記正四角形管状の細長棒（３）の後方の途中から同細長棒（３）の後端へ向けて、同留め具（６）と同じ長さ分だけ半欠き状に削成され、かつ上記L字状の細長棒（２）の後端部（５）と合わせて、同留め具（６）内の最深奥部まで嵌挿し切った段階で、同管状の細長棒（３）後方の半欠き始め部分が同留め具（６）の入り口部分において寸分の間隙なく完全に密着合体できるよう、同半欠き始め部分から後端へ向けて緩やかな傾斜角度をもって先細りするテーパ状に削成されたことを特徴とする新聞ホルダー。
【手続補正２】
【補正対象書類名】明細書
【補正対象項目名】全文
【補正方法】変更
【補正の内容】
【発明の詳細な説明】
【技術分野】
【０００１】
この発明は、複数枚の新聞を、新聞の枚数（厚さ）の多寡に応じ、また、半紙を含む新聞をも確実に挟持し固定する新聞ホルダーに関する。
【背景技術】
【０００２】
新聞ホルダーには各種のものがあるが、一般的には、下面開口する横長U字溝状のフレームの前板の複数箇所に前方より押圧ねじを螺入し、その内端に枢設した押圧板とフレームの後板の間に、複数枚の新聞の端部を挿入してから、押圧ねじを螺締するようになっている。
【０００３】
また、実公昭６２−３７７５２号公報には、上記したのと類似するフレーム内に設けた新聞押圧部材を，フレームの前面に枢設したレバーにより駆動して、新聞を、押圧部材とフレームの後板の間に挟持するようにした新聞綴じ具が開示されている。
【０００４】
さらに、特開２００３−２５１９７７公報には、チャンネルとロッドを使った新聞バインダーが開示されているが、これは分厚い新聞や半紙の入った新聞の挟持には不向きである。
【発明の開示】
【発明が解決しようとする課題】
【０００５】
新聞をホルダーに確実に挟持するためには、新聞の枚数（厚さ）に対応する挟持力が必要であるが、上記０００２記載の「押圧ねじ式」のものは、挟持力の強弱を操作する人の感覚に頼るため、挟持力に個人差が生じ、また前記０００３記載の「レバー式」のものは、挟持力が一定であるため、挟持する新聞が多量の場合、挟持力が不足して挟持した新聞が新聞ホルダーより脱落することがあり、０００４記載のチャンネル・ロッド式のものは分厚い新聞をチャンネルとロッドの間に入れられず挟持できない。
【０００６】
また、０００４記載のチャンネル・ロッド式のようなものでは、半紙を含む新聞の半紙はロッドからすり抜けてしまう。
【０００７】
また、前記「押圧ねじ式」のものや「レバー式」のものは複数枚の新聞の端部を挿入するときに、新聞を挿入しすぎて、肝心な新聞の文字が隠れてしまうことが散見される。
【０００８】
本発明は、新聞の枚数（厚さ）に関係なく、また半紙を含む新聞をも簡単且つ確実に挟持できるようにした新聞ホルダーを提供することを目的としている。
【課題を解決するための手段】
【０００９】
本発明は、その先端部において直角二等辺逆三角形状の先端管部（４）を備えた横断切り口がL字状の細長棒（２）、その両端部において半欠き状に削成された先端切り欠き部（７）と後端切り欠き部（８）とを備えた、上記L字状の細長棒（２）と同じ長さの横断切り口が正四角形管状の細長棒（３）、および上記L字状の細長棒（２）の後端部（５）と上記正四角形管状の細長棒（３）の後端切り欠き部（８）とを嵌合密着合体させるための用具で、上記先端管部（４）と同じ長さの直角二等辺逆三角形管状の留め具（６）との三つの部材からなる新聞ホルダーであって、上記正四角形管状の細長棒（３）の先端部に設けられた上記先端切り欠き部（７）は、上記L字状の細長棒（２）の先端部に設けられた上記直角二等辺逆三角形状の先端管部（４）内へ嵌挿したり同先端管部（４）から抜脱できるよう、上記正四角形管状の細長棒（３）の先方の途中から同細長棒（３）の先端へ向けて、同先端管部（４）と同じ長さ分だけ半欠き状に削成され、かつ同先端管部（４）内の最深奥部まで嵌挿し切った段階で、同管状の細長棒（３）前方の半欠き始め部分が同先端管部（４）の入り口部分において寸分の間隙なく完全に密着合体できるよう、同半欠き始め部分から先端へ向けて緩やかな傾斜角度をもって先細りするテーパ状に削成されたことを特徴とし、また、上記正四角形管状の細長棒（３）の後端部に設けられ上記後端切り欠き部（８）は、上記L字状の細長棒（２）の後端部（５）と合わせて、上記直角二等辺逆三角形管状の留め具（６）内へ嵌挿したり同留め具（６）から抜脱できるよう、上記正四角形管状の細長棒（３）の後方の途中から同細長棒（３）の後端へ向けて、同留め具（６）と同じ長さ分だけ半欠き状に削成され、かつ上記L字状の細長棒（２）の後端部（５）と合わせて、同留め具（６）内の最深奥部まで嵌挿し切った段階で、同管状の細長棒（３）後方の半欠き始め部分が同留め具（６）の入り口部分において寸分の間隙なく完全に密着合体できるよう、同半欠き始め部分から後端へ向けて緩やかな傾斜角度をもって先細りするテーパ状に削成されたことを特徴とする新聞ホルダーであり、新聞（１）の内側の真中のページを左右に概ね９０°開き、新聞の第一面と末尾面の中央の各余白部分をＬ字状の細長棒（２）のＬ字状溝部分の上に載せ、さらにその上に正四角形管状の細長棒（３）の下方に向いた直角凸部分がＬ字状の細長棒のＬ字状溝の最深部に嵌合するように押し当て、新聞を押し当てた正四角形管状の細長棒（３）を先端方向へスライドさせて、正四角形管状の細長棒の先端切り欠き部（７）がＬ字状の細長棒の先端管部（４）に挿入されるように押し込むとともに、正四角形管状の細長棒の下方に向いた直角凸部を新聞を載せたＬ字状の細長棒のＬ字状溝の最深部に強く押し当て、Ｌ字状の細長棒の後端部（５）と正四角形管状の細長棒の後端切り欠き部（８）にリング状の留め具（６）を嵌め込み、Ｌ字状の細長棒（２）と正四角形管状の細長棒（３）によって挟まれた新聞を圧接して固定することによって上述の課題は解決される。
【発明の効果】
【００１０】
この発明は、枚数の多い分厚い新聞から枚数の少ない薄い新聞まで、新聞の厚さの大小にかかわらずしっかりと挟持し、また半紙を含む新聞の半紙をも確実に挟持できるよう、正四角形管状の細長棒の先端切り欠き部（７）は、新聞上端部から正四角形管状の細長棒の先端に向けて緩やかに先細りするような傾斜角度をもって切り欠き形成するとともに、正四角形管状の細長棒の後端切り欠き部（８）も、新聞下端部から正四角形管状の細長棒の後端に向けて緩やかに先細りするような傾斜角度をもって切り欠き形成されることによって、薄い新聞に対しては正四角形管状の細長棒（３）の先端切り欠き部（７）をＬ字状の細長棒の先端管部（４）の最奥部までしっかりと押し込み、分厚い新聞に対しては、正四角形管状の細長棒（３）の先端切り欠き部（７）を、新聞をしっかり挟持できる程度に至るまで適宜、Ｌ字状の細長棒の先端管部（４）の中へ押し込むことにより、新聞の厚さに応じた圧力で新聞を圧接固定することができる。
【００１１】
この発明は、前記００１０記載の工作や操作に加え、正四角形管状の細長棒（３）の新聞押圧面に摩擦係数が大きく弾性のある素材を貼付することによって、見開きすると半分にしかならない半紙も確実に圧接固定できるようになっている。
【発明を実施するための最良の形態】
【００１２】
前記０００２記載の「押圧ねじ式」のものや０００３記載の「レバー式」のものは複数枚の新聞の端部を挿入するときに、挿入しすぎて、肝心な新聞の文字が隠れてしまうことが散見されること前記０００７のとおりであるが、この発明は、Ｌ字状の細長棒（２）の新聞の折目部分を載せるＬ字状溝部の２面の各幅及び正四角形管状の細長棒（３）の新聞押圧面の２面の各幅がｃｍとなっており、新聞の各ページの中央折目部の余白部分の幅がちょうど１．０５ｃｍとなっていることと呼応して、決して新聞の文字を隠すことがないような構造になっている。
【実施例】
【００１３】
図１は、真中のページを開いた新聞（１）を、この「押圧嵌合式新聞ホルダー」のＬ字状の細長棒（２）と正四角形管状の細長棒（３）で圧接固定して留め具で留める過程の状況を略示した斜視図である。
【００１４】
図１１は、この発明の一実施例であり、真中のページを開いた新聞（１）を、この「押圧嵌合式新聞ホルダー」のＬ字状の細長棒（２）の上に載せ、その上から正四角形管状の細長棒（３）で圧接固定した上面図である。
【００１５】
図１２は、この発明の一実施例であり、真中のページを開いた新聞（１）を、この「押圧嵌合式新聞ホルダー」のＬ字状の細長棒（２）の上に載せ、その上から正四角形管状の細長棒（３）で圧接固定した断面図（図１中の切断面AーA´）である。
【００１６】
図１３は、この発明の一実施例であり、真中のページを開いた新聞（１）を、この「押圧嵌合式新聞ホルダー」のＬ字状の細長棒（２）の上に載せ、その上から正四角形管状の細長棒（３）で圧接固定し、Ｌ字状の細長棒（２）と正四角形管状の細長棒（３）の各下端を留め具（６）で固定した底面図である。
【００１７】
図１４は、この発明の一実施例であり、「押圧嵌合式新聞ホルダー」に新聞（１）をセットして、セットされた「押圧嵌合式新聞ホルダー」を新聞掛け（９）に掛けたところを略示した正面図である。
【図面の簡単な説明】
【００１８】
【図１】新聞ホルダーへ新聞を装着する過程の図  斜視図（中間部分割愛）
【図２】新聞ホルダー（ユニット）正面図（中間部分割愛）
【図３】Ｌ字状の細長棒  正面図（中間部分割愛）
【図４】正四角形管状の細長棒  正面図（中間部分割愛）
【図５】留め具  正面図
【図６】留め具  右側面図
【図７】留め具  底面図（上面図も同じ）
【図８】新聞ホルダー（ユニット）右側面図（中間部分割愛）
【図９】Ｌ字状の細長棒  右側面図（中間部分割愛）
【図１０】正四角形管状の細長棒  右側面図（中間部分割愛）
【図１１】新聞ホルダー使用の実施例  上面図
【図１２】新聞ホルダー使用の実施例  中央断面図（図１中の切断面AーA´）
【図１３】新聞ホルダー使用の実施例  底面図
【図１４】新聞をセットした新聞ホルダーを新聞掛けに掛けた図  正面図
【符号の説明】
【００１９】
（１）新聞
（２）Ｌ字状の細長棒
（３）正四角形管状の細長棒
（４）先端管部
（５）Ｌ字状の細長棒の後端部
（６）留め具
（７）先端切り欠き部
（８）後端切り欠き部
（９）新聞掛け
【手続補正３】
【補正対象書類名】図面
【補正対象項目名】全図
【補正方法】変更
【補正の内容】
【図１】
2008307699.tif 000055
【図２】
2008307699.tif 000056
【図３】
2008307699.tif 000057
【図４】
2008307699.tif 000058
【図５】
2008307699.tif 000059
【図６】
2008307699.tif 000060
【図７】
2008307699.tif 000061
【図８】
2008307699.tif 000062
【図９】
2008307699.tif 000063
【図１０】
2008307699.tif 000064
【図１１】
2008307699.tif 000065
【図１２】
2008307699.tif 000066
【図１３】
2008307699.tif 000067
【図１４】
2008307699.tif 000068